【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
特色を含む画像データに基づくカラープルーフの仕上がりを確認するために、前記画像データに基づく画像を所定の表示手段に表示させるためのものであって、
前記表示手段に表示される所定の表示色のカラー情報を予め設定して登録するための表示色設定ステップと、
前記カラープルーフの前記画像データを形成する前記特色のカラー情報を検出するためのカラー情報検出ステップと、
前記カラー情報検出ステップにより前記特色の前記カラー情報を検出できなかったとき、前記表示色設定ステップにより設定登録された前記表示色の前記カラー情報を、前記特色のカラー情報として設定するカラー情報設定ステップと、
前記カラー情報設定ステップにより設定された前記カラー情報を基に前記特色を前記表示手段に表示させる表示制御ステップと、
を備えた画像表示方法をコンピュータに実行させるプログラム。
【請求項２】
特色を含む画像データに基づくカラープルーフの仕上がりを確認するために、前記画像データに基づく画像を所定の表示手段に表示させるためのものであって、
前記カラープルーフの前記画像データを形成する前記特色のカラー情報を検出するためのカラー情報検出ステップと、
前記カラー情報検出ステップにより検出された前記特色の前記カラー情報を基に、前記特色が所定値以上の明度を有しているか判断する明度判断ステップと、
前記所定値以上の明度を有していないと前記明度判断ステップにより判断された前記特色の前記カラー情報を、前記特色の前記明度が前記所定値以上となるように変更するためのカラー情報変更ステップと、
前記カラー情報変更ステップにより変更された前記特色の前記カラー情報を基に、前記特色を前記表示手段に表示させる表示制御ステップと、
を備えた画像表示方法をコンピュータに実行させるプログラム。
【請求項３】
特色を含む画像データに基づくカラープルーフの仕上がりを確認するために、前記画像データに基づく画像を所定の表示手段に表示させるためのものであって、
前記カラープルーフの前記画像データを形成する前記特色のカラー情報を検出するためのカラー情報検出ステップと、
前記カラー情報検出ステップにより検出された前記特色の前記カラー情報を基に、前記特色が所定値以上の彩度を有しているか判断する彩度判断ステップと、
前記所定値以上の彩度を有していないと前記彩度判断ステップにより判断された前記特色の前記カラー情報を、前記特色の前記彩度が前記所定値以上となるように変更するためのカラー情報変更ステップと、
前記カラー情報変更ステップにより変更された前記特色の前記カラー情報を基に、前記特色を前記表示手段に表示させる表示制御ステップと、
を備えた画像表示方法をコンピュータに実行させるプログラム。
【請求項４】
特色を含む画像データに基づくカラープルーフの仕上がりを確認するために、前記画像データに基づく画像を所定の表示手段に表示させるための画像表示装置において、
前記表示手段に表示される所定の表示色のカラー情報を予め設定して登録するための表示色設定手段と、
前記カラープルーフの前記画像データを形成する特色のカラー情報を検出するためのカラー情報検出手段と、
前記カラー情報検出手段により前記特色のカラー情報を検出できなかったとき、前記表示色設定手段を用いて設定登録された表示色の前記カラー情報を、前記特色のカラー情報として設定するカラー情報設定手段と、
前記カラー情報設定手段により設定されたカラー情報を基に前記特色を前記表示手段に表示させる表示制御手段と、
を備えたことを特徴とする画像表示装置。
【請求項５】
特色を含む画像データに基づくカラープルーフの仕上がりを確認するために、前記画像データに基づく画像を所定の表示手段に表示させるための画像表示装置において、
前記カラープルーフの画像データを形成する特色のカラー情報を検出するためのカラー情報検出手段と、
前記カラー情報検出手段により検出された特色の前記カラー情報を基に、前記特色が所定値以上の明度を有しているか判断する明度判断手段と、
前記所定値以上の明度を有していないと前記明度判断手段により判断された前記特色のカラー情報を、前記特色の明度が前記所定値以上となるように変更するためのカラー情報変更手段と、
前記カラー情報変更手段により変更された特色のカラー情報を基に、前記特色を前記表示手段に表示させる表示制御手段と、
を備えたことを特徴とする画像表示装置。
【請求項６】
特色を含む画像データに基づくカラープルーフの仕上がりを確認するために、前記画像データに基づく画像を所定の表示手段に表示させるための画像表示装置において、
前記カラープルーフの前記画像データを形成する特色のカラー情報を検出するためのカラー情報検出手段と、
前記カラー情報検出手段により検出された前記特色のカラー情報を基に、特色が所定値以上の彩度を有しているか判断する彩度判断手段と、
前記所定値以上の彩度を有していないと前記彩度判断手段により判断された前記特色のカラー情報を、前記彩度が前記所定値以上となるように変更するためのカラー情報変更手段と、
前記カラー情報変更手段により変更された前記特色のカラー情報を基に、前記特色を前記表示手段に表示させる表示制御手段と、
を備えたことを特徴とする画像表示装置。
【請求項７】
特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、
前記画像表示装置は、
前記表示手段に表示される所定の表示色のカラー情報を予め設定して登録するための表示色設定手段と、
前記カラープルーフの前記画像データを形成する前記特色のカラー情報を検出するためのカラー情報検出手段と、
前記カラー情報検出手段により特色のカラー情報を検出できなかったとき、前記表示色設定手段を用いて設定登録された前記表示色のカラー情報を、前記特色のカラー情報として設定するカラー情報設定手段と、
前記カラー情報設定手段により設定されたカラー情報を基に前記特色を前記表示手段に表示させる表示制御手段と、
を備えていることを特徴とする画像出力システム。
【請求項８】
特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、
前記画像表示装置は、
前記カラープルーフの前記画像データを形成する前記特色のカラー情報を検出するためのカラー情報検出手段と、
前記カラー情報検出手段により検出された前記特色のカラー情報を基に、前記特色が所定値以上の明度を有しているか判断する明度判断手段と、
前記所定値以上の明度を有していないと前記明度判断手段により判断された前記特色のカラー情報を、前記特色の明度が所定値以上となるように変更するためのカラー情報変更手段と、
前記カラー情報変更手段により変更された前記特色のカラー情報を基に、前記特色を前記表示手段に表示させる表示制御手段と、
を備えていることを特徴とする画像出力システム。
【請求項９】
特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、
前記画像表示装置は、
前記カラープルーフの前記画像データを形成する前記特色のカラー情報を検出するためのカラー情報検出手段と、
前記カラー情報検出手段により検出された前記特色のカラー情報を基に、前記特色が所定値以上の彩度を有しているか判断する彩度判断手段と、
前記所定値以上の彩度を有していないと前記彩度判断手段により判断された前記特色のカラー情報を、前記特色の彩度が前記所定値以上となるように変更するためのカラー情報変更手段と、
前記カラー情報変更手段により変更された前記特色のカラー情報を基に、前記特色を前記表示手段に表示させる表示制御手段と、
を備えていることを特徴とする画像出力システム。
【手続補正２】
【補正対象書類名】明細書
【補正対象項目名】発明の名称
【補正方法】変更
【補正の内容】
【発明の名称】画像表示方法をコンピュータに実行させるプログラム、画像表示装置、画像出力システム
【手続補正３】
【補正対象書類名】明細書
【補正対象項目名】００２１
【補正方法】変更
【補正の内容】
【００２１】
上記目的を達成するために、請求項１に記載の発明は、特色を含む画像データに基づくカラープルーフの仕上がりを確認するために、前記画像データに基づく画像を所定の表示手段に表示させるためのものであって、前記表示手段に表示される所定の表示色のカラー情報を予め設定して登録するための表示色設定ステップと、前記カラープルーフの前記画像データを形成する前記特色のカラー情報を検出するためのカラー情報検出ステップと、前記カラー情報検出ステップにより前記特色の前記カラー情報を検出できなかったとき、前記表示色設定ステップにより設定登録された前記表示色の前記カラー情報を、前記特色のカラー情報として設定するカラー情報設定ステップと、前記カラー情報設定ステップにより設定された前記カラー情報を基に前記特色を前記表示手段に表示させる表示制御ステップと、を備えた画像表示方法をコンピュータに実行させるプログラムである。
【手続補正４】
【補正対象書類名】明細書
【補正対象項目名】００２２
【補正方法】変更
【補正の内容】
【００２２】
また、上記目的を達成するために、請求項２に記載の発明は、特色を含む画像データに基づくカラープルーフの仕上がりを確認するために、前記画像データに基づく画像を所定の表示手段に表示させるためのものであって、前記カラープルーフの前記画像データを形成する前記特色のカラー情報を検出するためのカラー情報検出ステップと、前記カラー情報検出ステップにより検出された前記特色の前記カラー情報を基に、前記特色が所定値以上の明度を有しているか判断する明度判断ステップと、前記所定値以上の明度を有していないと前記明度判断ステップにより判断された前記特色の前記カラー情報を、前記特色の前記明度が前記所定値以上となるように変更するためのカラー情報変更ステップと、前記カラー情報変更ステップにより変更された前記特色の前記カラー情報を基に、前記特色を前記表示手段に表示させる表示制御ステップと、を備えた画像表示方法をコンピュータに実行させるプログラムである。
【手続補正５】
【補正対象書類名】明細書
【補正対象項目名】００２３
【補正方法】変更
【補正の内容】
【００２３】
また、上記目的を達成するために、請求項３に記載の発明は、特色を含む画像データに基づくカラープルーフの仕上がりを確認するために、前記画像データに基づく画像を所定の表示手段に表示させるためのものであって、前記カラープルーフの前記画像データを形成する前記特色のカラー情報を検出するためのカラー情報検出ステップと、前記カラー情報検出ステップにより検出された前記特色の前記カラー情報を基に、前記特色が所定値以上の彩度を有しているか判断する彩度判断ステップと、前記所定値以上の彩度を有していないと前記彩度判断ステップにより判断された前記特色の前記カラー情報を、前記特色の前記彩度が前記所定値以上となるように変更するためのカラー情報変更ステップと、前記カラー情報変更ステップにより変更された前記特色の前記カラー情報を基に、前記特色を前記表示手段に表示させる表示制御ステップと、を備えた画像表示方法をコンピュータに実行させるプログラムである。
【手続補正６】
【補正対象書類名】明細書
【補正対象項目名】００２４
【補正方法】変更
【補正の内容】
【００２４】
また、上記目的を達成するために、請求項４に記載の発明は、特色を含む画像データに基づくカラープルーフの仕上がりを確認するために、前記画像データに基づく画像を所定の表示手段に表示させるための画像表示装置において、前記表示手段に表示される所定の表示色のカラー情報を予め設定して登録するための表示色設定手段と、前記カラープルーフの前記画像データを形成する特色のカラー情報を検出するためのカラー情報検出手段と、前記カラー情報検出手段により前記特色のカラー情報を検出できなかったとき、前記表示色設定手段を用いて設定登録された表示色の前記カラー情報を、前記特色のカラー情報として設定するカラー情報設定手段と、前記カラー情報設定手段により設定されたカラー情報を基に前記特色を前記表示手段に表示させる表示制御手段と、を備えたことを特徴とする。
【手続補正７】
【補正対象書類名】明細書
【補正対象項目名】００２５
【補正方法】変更
【補正の内容】
【００２５】
また、上記目的を達成するために、請求項５に記載の発明は、特色を含む画像データに基づくカラープルーフの仕上がりを確認するために、前記画像データに基づく画像を所定の表示手段に表示させるための画像表示装置において、前記カラープルーフの画像データを形成する特色のカラー情報を検出するためのカラー情報検出手段と、前記カラー情報検出手段により検出された特色の前記カラー情報を基に、前記特色が所定値以上の明度を有しているか判断する明度判断手段と、前記所定値以上の明度を有していないと前記明度判断手段により判断された前記特色のカラー情報を、前記特色の明度が前記所定値以上となるように変更するためのカラー情報変更手段と、前記カラー情報変更手段により変更された特色のカラー情報を基に、前記特色を前記表示手段に表示させる表示制御手段と、を備えたことを特徴とする。
【手続補正８】
【補正対象書類名】明細書
【補正対象項目名】００２６
【補正方法】変更
【補正の内容】
【００２６】
また、上記目的を達成するために、請求項６に記載の発明は、特色を含む画像データに基づくカラープルーフの仕上がりを確認するために、前記画像データに基づく画像を所定の表示手段に表示させるための画像表示装置において、前記カラープルーフの前記画像データを形成する特色のカラー情報を検出するためのカラー情報検出手段と、前記カラー情報検出手段により検出された前記特色のカラー情報を基に、特色が所定値以上の彩度を有しているか判断する彩度判断手段と、前記所定値以上の彩度を有していないと前記彩度判断手段により判断された前記特色のカラー情報を、前記彩度が前記所定値以上となるように変更するためのカラー情報変更手段と、前記カラー情報変更手段により変更された前記特色のカラー情報を基に、前記特色を前記表示手段に表示させる表示制御手段と、を備えたことを特徴とする。
【手続補正９】
【補正対象書類名】明細書
【補正対象項目名】００２７
【補正方法】変更
【補正の内容】
【００２７】
また、上記目的を達成するために、請求項７に記載の発明は、特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、前記画像表示装置は、前記表示手段に表示される所定の表示色のカラー情報を予め設定して登録するための表示色設定手段と、前記カラープルーフの前記画像データを形成する前記特色のカラー情報を検出するためのカラー情報検出手段と、前記カラー情報検出手段により特色のカラー情報を検出できなかったとき、前記表示色設定手段を用いて設定登録された前記表示色のカラー情報を、前記特色のカラー情報として設定するカラー情報設定手段と、前記カラー情報設定手段により設定されたカラー情報を基に前記特色を前記表示手段に表示させる表示制御手段と、を備えていることを特徴とする。
【手続補正１０】
【補正対象書類名】明細書
【補正対象項目名】００２８
【補正方法】変更
【補正の内容】
【００２８】
また、上記目的を達成するために、請求項８に記載の発明は、特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、前記画像表示装置は、前記カラープルーフの前記画像データを形成する前記特色のカラー情報を検出するためのカラー情報検出手段と、前記カラー情報検出手段により検出された前記特色のカラー情報を基に、前記特色が所定値以上の明度を有しているか判断する明度判断手段と、前記所定値以上の明度を有していないと前記明度判断手段により判断された前記特色のカラー情報を、前記特色の明度が所定値以上となるように変更するためのカラー情報変更手段と、前記カラー情報変更手段により変更された前記特色のカラー情報を基に、前記特色を前記表示手段に表示させる表示制御手段と、を備えていることを特徴とする。
【手続補正１１】
【補正対象書類名】明細書
【補正対象項目名】００２９
【補正方法】変更
【補正の内容】
【００２９】
また、上記目的を達成するために、請求項９に記載の発明は、特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、前記画像表示装置は、前記カラープルーフの前記画像データを形成する前記特色のカラー情報を検出するためのカラー情報検出手段と、前記カラー情報検出手段により検出された前記特色のカラー情報を基に、前記特色が所定値以上の彩度を有しているか判断する彩度判断手段と、前記所定値以上の彩度を有していないと前記彩度判断手段により判断された前記特色のカラー情報を、前記特色の彩度が前記所定値以上となるように変更するためのカラー情報変更手段と、前記カラー情報変更手段により変更された前記特色のカラー情報を基に、前記特色を前記表示手段に表示させる表示制御手段と、を備えていることを特徴とする。
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】変更
【補正の内容】
【００３５】
請求項１に記載のプログラム、請求項４に記載の画像表示装置、及び請求項７に記載の画像出力システムによれば、特色のカラー情報が取得できなかったことに対応して、当該特色に対してカラー情報を自動的に設定し、そのカラー情報に基づいて当該特色をモニタに表現するよう構成されているので、特色のカラー情報を取得できなかった場合であってもモニタに特色を表示することが可能となる。
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】変更
【補正の内容】
【００３８】
請求項２に記載のプログラム、請求項５に記載の画像表示装置、及び請求項８に記載の画像出力システムによれば、モニタ表示される特色の明度を判断し、この明度が十分でないものと判断されたことに対応して、当該明度を大きくするための制御を行うよう構成されているので、特色のモニタ上における識別力を向上させることが可能となる。
【手続補正２１】
【補正対象書類名】明細書
【補正対象項目名】００３９
【補正方法】変更
【補正の内容】
【００３９】
請求項３に記載のプログラム、請求項６に記載の画像表示装置、請求項９に記載の画像出力システムによれば、モニタ表示される特色の彩度を判断し、この彩度が十分でないものと判断されたことに対応して、当該彩度を大きくするための制御を行うよう構成されているので、特色のモニタ上における識別力を向上させることが可能となる。